(57)【要約】【課題】光源ランプの累積点灯時間がその光源ランプの交換目安時間を経過した場合に、報知ランプからの光により光源ランプ交換の必要性とそのランプカバーの位置とを報知するようにした投写型映像表示装置を提供すること【解決手段】本発明の投写型映像表示装置は、外装ケース１に光源ランプ３２を交換するためのサービス口として開閉自在のランプカバー２ａ〜２ｄが設けられるとともに、その近傍に報知ランプを備えた報知部１７ａ〜１７ｄが設けられている。また、光源ランプ３２の累積点灯時間が時間計測部により計測されるとともに、制御部により光源ランプ３２の累積点灯時間が交換目安時間を超えているか否かが判定される。そして、光源ランプ３２の累積点灯時間が交換目安時間を超えていると判定された場合に報知部１７ａ〜１７ｄの報知ランプが点灯される。これにより光源ランプ交換の必要性及びランプカバーの位置を知ることができる。【選択図】図２
2011227344.tif 000002
【特許請求の範囲】
【請求項１】
交換可能に備えられた１個の光源ランプと、
この光源ランプから射出された光を映像データに応じて変調するライトバルブと、
このライトバルブにより変調された光を拡大投写する投写光学系と、
前記光源ランプを収容する外装ケースと、
前記光源ランプを交換するためのサービス口として前記外装ケースに設けられた、開閉自在のランプカバーと、
前記光源ランプの累積点灯時間を計測する時間計測部と、
前記光源ランプの累積点灯時間が交換目安時間を超えているか否かを判定する制御部と、
この制御部により前記光源ランプの累積点灯時間が交換目安時間を超えていると判定された場合に、この光源ランプ用のランプカバーの位置を指し示すための報知ランプを点灯する報知部とを、
備えたことを特徴とする投写型映像表示装置。
【請求項２】
交換可能に備えられた複数個の光源ランプと、
これら光源ランプから射出された光を映像データに応じて変調するライトバルブと、
このライトバルブにより変調された光を拡大投写する投写光学系と、
前記光源ランプを収容する外装ケースと、
前記光源ランプを交換するためのサービス口として前記光源ランプ毎に前記外装ケースに設けられた、開閉自在の複数のランプカバーと、
光源ランプ毎に累積点灯時間を計測する時間計測部と、
光源ランプ毎に累積点灯時間が交換目安時間を超えているか否かを判定する制御部と、
この制御部により光源ランプの累積点灯時間が交換目安時間を超えていると判定された場合に、このように判定された光源ランプ用の前記ランプカバーの位置を指し示すための報知ランプを点灯する、光源ランプ毎に設けられた報知部とを、
備えたことを特徴とする投写型映像表示装置。
【請求項３】
前記報知部は、ランプカバー毎にその近傍に配置されていることを特徴とする請求項２記載の投写型映像表示装置。
【請求項４】
前記報知部は、外装ケースに報知ランプからの光を透過する透過窓が形成されるとともに、この透過窓の形状により報知している光源ランプのランプカバーの位置を指し示す形状に形成されていることを特徴とする請求項３記載の投写型映像表示装置。
【請求項５】
前記報知部は、複数のランプカバーの間に配置されていることを特徴とする請求項４記載の投写型映像表示装置。
【請求項６】
前記報知部は、光源ランプの累積点灯時間が交換目安時間を越えているが光源ランプが点灯可能状態にあるときの報知ランプの点灯方法と、光源ランプが不点灯状態になったときの報知ランプの点灯方法とを変えるように構成されていることを特徴とする請求項１〜５の何れか１項に記載の投写型映像表示装置。
【発明の詳細な説明】
【技術分野】
【０００１】
本発明は、投写型映像表示装置に係り、特に、光源ランプの交換を報知する報知手段に関する。
【背景技術】
【０００２】
投写型表示装置の光源ランプとして用いられる超高圧水銀ランプやメタルハライドランプ等の放電型光源ランプは、使用時間（点灯時間）が累積されるにつれて輝度が徐々に低下する。また、そのまま長期間使用を継続すると、輝度の低下により画像の視認性が損なわれていくとともに、光源ランプの点灯維持が困難になってしまう。これを避けるためには、そのような症状が現れる前に光源ランプの交換目安時間を設定しておき、光源ランプの累積点灯時間が交換目安時間を経過した場合にこれを報知する報知手段が有用とされている。
【０００３】
このような報知手段を備えた投写型映像表示装置として、光源ランプの累積点灯時間が交換目安時間を経過した場合に投写画像上にランプ交換を促すメッセージを表示する投写型表示装置が提案されている。このような投写型映像表示装置として例えば特許文献１に記載のものがある。
【０００４】
また、点灯中の光源ランプが消灯された場合に、制御部により累積点灯時間と交換目安時間とを比較し、累積点灯時間が交換目安時間を超過している場合に、ランプカバーを電磁気的な手段により開放させるものが提案されている。このような投写型映像表示装置として例えば特許文献２に記載のものがある。
【先行技術文献】
【特許文献】
【０００５】
【特許文献１】特開２０００−２６７０６１号公報
【特許文献２】特開２００７−２１８９４８号公報
【発明の概要】
【発明が解決しようとする課題】
【０００６】
しかしながら、特許文献１のものについては、機器の扱いに不慣れなユーザは、上記のようなメッセージが表示されても、交換方法はもちろん、光源ランプが装着されている場所さえも分からずにそのまま放置してしまう場合が多い。このため、そのまま継続して使用されると、適正な輝度での画像表示ができなくなる上、画像の鑑賞中にランプが故障し、ユーザを混乱させる恐れがある。
【０００７】
これに対し、特許文献２は、このような問題点を解決するものとして提案されたものであるが、電磁気的な手段が必要となるため費用の増加、外装ケースの体積増加などが問題となっていた。特に、複数個の光源ランプを使用する投写型映像表示装置において、このような報知手段を採用した場合には、費用の増加及び外装ケースの体積増加が顕著になるという問題があった。また、特許文献２は、電磁気的手段によりランプカバーを自動的に開放するため、投写型映像表示装置周囲の物体にランプカバーが干渉し、周囲の物体又はランプカバーを損なう恐れがあった。また、特許文献２は、ブレンディングなどを行うために複数の投写型映像表示装置を重ね合わせて配置する場合には、電磁気的手段により開放しようとするランプカバーが強制的に押さえ付けられるため、電磁気的手段が動作不良となる懸念があった。また、これを避けるには、ランプカバーの周囲に十分な空間を設ければならず、この場合には設置性が損なわれるという問題があった。
【０００８】
そこで、本発明は、このような問題点に鑑み成されたもので、光源ランプの累積点灯時間がその光源ランプの交換目安時間を経過した場合に、報知ランプからの光により光源ランプ交換の必要性とそのランプカバーの位置とを報知するようにした投写型映像表示装置を提供することを目的とする。
【課題を解決するための手段】
【０００９】
上記課題を解決するために、本発明に係る投写型映像表示装置は、交換可能に備えられた１個の光源ランプと、この光源ランプから射出された光を映像データに応じて変調するライトバルブと、このライトバルブにより変調された光を拡大投写する投写光学系と、前記光源ランプを収容する外装ケースと、前記光源ランプを交換するためのサービス口として前記外装ケースに設けられた、開閉自在のランプカバーと、前記光源ランプの累積点灯時間を計測する時間計測部と、前記光源ランプの累積点灯時間が交換目安時間を超えているか否かを判定する制御部と、この制御部により前記光源ランプの累積点灯時間が交換目安時間を超えていると判定された場合に、この光源ランプ用のランプカバーの位置を指し示すための報知ランプを点灯する報知部とを、備えていることを特徴とする。
【００１０】
本発明に係る投写型映像表示装置よれば、光源ランプの累積点灯時間が時間計測部により計測されるとともに、光源ランプの累積点灯時間が交換目安時間を超えているか否かが制御部により判定されている。そして、制御部により光源ランプの累積点灯時間が交換目安時間を超えていると判定された場合には、この光源ランプ用のランプカバーの位置を指し示す報知部の報知ランプが点灯される。したがって、ユーザは、この報知により光源ランプ交換の必要性とそのランプカバーの位置とを同時に知ることができるので、光源ランプの交換を容易に行うことができる。また、この発明の場合は、従来のようにランプカバーを開放するものではないので、ランプカバーと周辺器物との干渉のおそれがなく、開放手段が動作不良となったり周辺器物が損なわれたりするおそれもない。また、ランプカバーを開放するための手段を必要としないので、報知部の所要スペースを小さくすることができる。
【００１１】
また、上記課題を解決するために、本発明に係る投写型映像表示装置は、交換可能に備えられた複数個の光源ランプと、これら光源ランプから射出された光を映像データに応じて変調するライトバルブと、このライトバルブにより変調された光を拡大投写する投写光学系と、前記光源ランプを収容する外装ケースと、前記光源ランプを交換するためのサービス口として前記光源ランプ毎に前記外装ケースに設けられた、開閉自在の複数のランプカバーと、光源ランプ毎に累積点灯時間を計測する時間計測部と、光源ランプ毎に累積点灯時間が交換目安時間を超えているか否かを判定する制御部と、この制御部により光源ランプの累積点灯時間が交換目安時間を超えていると判定された場合に、このように判定された光源ランプ用の前記ランプカバーの位置を指し示すための報知ランプを点灯する、光源ランプ毎に設けられた報知部とを、備えていることを特徴とするものとしてもよい。
【００１２】
本発明に係るこの投写型映像表示装置よれば、時間計測部により光源ランプ毎に累積点灯時間が計測されるとともに、制御部により光源ランプ毎に累積点灯時間が交換目安時間を超えている否かが判定されている。そして、何れかの光源ランプの累積点灯時間が交換目安時間を超えていると判定された場合には、このように判定されたこの光源ランプ用のランプカバーの位置を指し示すための報知ランプが点灯される。したがって、ユーザは、この報知により何れの光源ランプが交換必要かを知ることができるともに、交換必要な光源ランプ用のランプカバーの位置をも知ることができるので、光源ランプの交換を容易に行うことができる。また、この発明の場合は、従来のようにランプカバーを開放するものではないので、ランプカバーと周辺器物との干渉のおそれがなく、開放手段が動作不良となったり周辺器物が損なわれたりするおそれもない。また、ランプカバーを開放するための手段を必要としないので、報知部の所要スペースを小さくすることができる。
【００１３】
また、複数個の光源ランプを備えているこの発明の場合において、前記報知部は、ランプカバー毎にその近傍に配置されていることが好ましい。このように構成すると、報知ランプの点灯のみで交換必要な光源ランプとそのランプカバーの位置とを容易に知ることができるので、報知部の構成を簡素化することができる。
【００１４】
また、この場合における前記報知部は、外装ケースに報知ランプからの光を透過する透過窓が形成されるとともに、この透過窓の形状により報知している光源ランプのランプカバーの位置を指し示す形状に形成されているものとすることができる。例えば、透過窓の平面視形状を三角形とし、この三角形の頂点が当該ランプカバーの方向に向くように形成されているものとすることができる。このようにすると、報知ランプにより報知される光源ランプのランプ用カバーがどれかを誤認することがなくなる。
【００１５】
さらに、この場合において、前記報知部は、複数のランプカバーの間に配置するようにしてもよい。前述のようにこの透過窓の形状がランプカバーの位置を指し示す形状に形成されていると、複数個の透過窓が相互に近接して配置された場合においても、報知部により報知されるランプカバーが何れであるかを間違えることがない。したがって、各報知部を複数のランプカバー間に相互に近接して配置することにより、複数個の報知ランプを一つの基板に取り付けることが容易になり、複数個の報知ランプを備える報知部の構成を簡略化することができる。
【００１６】
また、上記各発明において、前記報知部は、光源ランプの累積点灯時間が交換目安時間を越えているが光源ランプが点灯可能状態にあるときの報知ランプの点灯方法と、光源ランプが不点灯状態になったときの報知ランプの点灯方法とを変えるように構成されていることが好ましい。例えば、光源ランプの累積点灯時間が交換目安時間を越えているが光源ランプが点灯可能状態にあるときには報知ランプを点滅点灯状態とし、光源ランプが不点灯状態になったときには報知ランプを連続点灯状態とする。このようにすると、同一の報知ランプでありながら光源ランプの異なる状態を区別して報知することができる。
【発明の効果】
【００１７】
本発明に係る投写型映像表示装置によれば、ユーザは、報知部の報知ランプの点灯により光源ランプ交換の必要性と、交換すべき光源ランプ用のランプカバーの位置とを同時に知ることができるので、光源ランプの交換を容易に行うことができる。また、従来のようにランプカバーを自動開放するものではないので、ランプカバーの開閉機構を簡略化することができ、報知部の所要スペースを小さくすることができる。また、ランプカバーの自動開放による周辺器物との干渉がないので、このような干渉により開放手段が動作不良を起したり周辺器物が損われたりするなどのおそれがない。
【図面の簡単な説明】
【００１８】
【図１】本発明の実施の形態に係る投写型映像表示装置の外観斜視図である。
【図２】同投写型映像表示装置の外観平面図である。
【図３】同投写型映像表示装置の光学系構成図である。
【図４】同投写型映像表示装置の機能ブロック図である。
【図５】同投写型映像表示装置の報知ランプの制御フロ−チャートである。
【図６】本発明の変形例に係る投写型映像表示装置の外観平面図である。
【発明を実施するための形態】
【００１９】
以下、本発明の実施の形態に係る投写型映像表示装置について、図１〜図５を参照しながら説明する。
本実施の形態に係る投写型映像表示装置は、図１及び図２に示すように、外装ケース１の前面（図１における左斜め前方の面）に投写レンズ１０を有するとともに、上面に光源ランプ用のランプカバー２ａ〜２ｄを４個備えた、３板式の液晶プロジェクタである。ランプカバー２ａ〜２ｄは、光源ランプを交換する際のサービス口を閉蓋するものである。この実施の形態においては、４個の光源ランプに対し、光源ランプ毎に独立のランプカバー２ａ〜２ｄが設けられている。なお、図１は、本実施の形態に係る投写型映像表示装置が正立投写状態に取り付けられた状態を斜め上方から見た斜視図であって、以下の説明において特に断りなく上下方向をいうときはこの状態における上下方向をいうものとする。また、前後方向をいうときは、投写レンズ１０における光の進行方向を前とする。
【００２０】
この投写型映像表示装置は、図３に示すような光学系を備えている。
この光学系は、図示されるように、光源装置３、インテグレータレンズ４、偏光変換素子５、反射ミラー６ａ，６ｂ，６ｃ，６ｄ、ダイクロイックミラー７ａ，７ｂ、液晶ライトバルブ８Ｒ，８Ｇ，８Ｂ、ダイクロイックプリズム９、投写レンズ１０等を備えている。
【００２１】
光源装置３は、第１光路変更部材３１ａ及び第２光路変更部材３１ｂを挟んで４個の第１光源ランプ３２ａ、第２光源ランプ３２ｂ、第３光源ランプ３２ｃ、及び第４光源ランプ３２ｄを組み合わせたものである。この組み合わせ構造をさらに詳しく述べる。一方で第１光源ランプ３２ａ及び第２光源ランプ３２ｂの２個の光源ランプが第１光路変更部材３１ａを挟んで対向的に配置して組み合わされ、他方では第３光源ランプ３２ｃ及び第４光源ランプ３２ｄの２個の光源ランプが第１光路変更部材３１ａを挟んで対向的に配置して組み合わされている。さらに、これら光源ランプの組合せ物が第２光路変更部材３１ｂを挟んで対向して配置されることにより、４個の第１光源ランプ３２ａ〜第４光源ランプ３２ｄからの光束を同一方向に出射するように構成されたものである。なお、以下の説明において特に断りなく「光源ランプ３２」と称するときは、第１光源ランプ３２ａ〜第４光源ランプ３２ｄの個々の光源ランプを総称する場合又は特定せずに共通的に言う場合とする。
【００２２】
光源ランプ３２は、発光管３２１と、放物面状の反射面を成すリフレクタ３２２とから構成されている。発光管３２１は、石英ガラスにより形成されたものであって、球状部と円柱部とからなる。そして、球状部の内部には発光体として、水銀とハロゲンガスの混合物又は水銀とハロゲン化物の混合物が封入され、円柱部には球状部に延びる電極の一部が埋設されている。リフレクタ３２２は、前面開放の、放物面状の反射面に形成されたものであって、その放物面の焦点には前記球状部が配置されている。したがって、リフレクタ３２２は、発光管３２１から発せられた光が平行光となって前方へ出射されるように構成されている。
【００２３】
第１光路変更部材３１ａ及び第２光路変更部材３１ｂそれぞれは、反射面が山形に配置されたものであって、第２光路変更部材３１ｂは第１光路変更部材３１ａの略倍の大きさに形成されている。第１光路変更部材３１ａは、対向配置された第１光源ランプ３２ａと第２光源ランプ３２ｂ、及び第３光源ランプ３２ｃと第４光源ランプ３２ｄから出射された略並行光を図示のようにそれぞれ第２光路変更部材３１ｂの一方の反射面へ向けて反射するように、反射面が山形に構成されている。また、第２光路変更部材３１ｂは、対向配置された第１光源ランプ３２ａと第２光源ランプ３２ｂの組合せ物、及び対向配置された第３光源ランプ３２ｃと第４光源ランプ３２ｄの組合せ物からの各光束を、インテグレータレンズ４の入射面に向けて反射するように、反射面が山形に構成されている。
【００２４】
インテグレータレンズ４は、一対のレンズ群（フライアイレンズ）から構成され、個々のレンズ部分が光源ランプ３２から出射された光を後述する液晶ライトバルブ８Ｒ，８Ｇ，８Ｂの全面に導くように構成されている。
【００２５】
偏光変換素子５は、偏光分離膜と小さな複数の偏光ビームスプリッタアレイによって構成されているものであって、インテグレータレンズ４からの光を１種類の直線偏光に変換して出射する。
【００２６】
反射ミラー６ａ，６ｂ，６ｃ，６ｄは、光を所定の方向に変更するために使用されている。
ダイクロイックミラー７ａ，７ｂは、光源ランプから出射された光（白色光）を光の三原色である赤色、青色、及び緑色の光へ分離するために使用されている。ダイクロイックミラー７ａは、赤色光を透過し、緑色光及び青色光を反射するミラーであり、ダイクロイックミラー７ｂは、青色光を透過し、緑色光を反射するミラーである。
【００２７】
ライトバルブは、光源ランプ３２から射出された光を、色分離後に映像データに応じて変調するものであって、赤色光成分を変調する赤色光用の液晶ライトバルブ８Ｒ、緑色光成分を変調する緑色光用の液晶ライトバルブ８Ｇ、及び青色光成分を変調する青色光用の液晶ライトバルブ８Ｂとから構成されている。各液晶ライトバルブ８Ｒ，８Ｇ，８Ｂは、図示しないが、入射側偏光板、液晶パネル、光学補償板、出射側偏光板などから構成されている。
【００２８】
ダイクロイックプリズム９は、液晶ライトバルブ８Ｒ，８Ｇ，８Ｂから出射された各色の映像光を合成して、投写可能な映像光を生成する。そして、ダイクロイックプリズム９で合成された映像光は、投写レンズ１０へ導かれる。
【００２９】
投写レンズ１０は、複数枚のレンズ群により構成されるものであって、ダイクロイックプリズム９によって生成された映像光を入射し、これを拡大して所定のスクリーン、壁面などに投写して表示するものである。
【００３０】
また、この投写型映像表示装置は、図４の機能ブロック図に示されるような制御装置を備えている。
この投写型映像表示装置は、映像を生成するための要素として、映像信号入力部１１、映像信号処理部１２、液晶パネルを備えた液晶ライトバルブ駆動部１３、液晶パネルから成る液晶ライトバルブ８Ｒ，８Ｇ，８Ｂ、第１光源ランプ３２ａ〜第４光源ランプ３２ｄ及び各光源ランプ用のランプ電源部１４ａ〜１４ｄを備えている。また、光源ランプの寿命に関する情報を報知するための装置として、時間計測部１５、記憶部１６及び報知部１７ａ〜１７ｄを備えている。さらに、この投写型映像表示装置は、装置全体の動作を行なうための制御部１８及び全体電源部１９を備えている。
【００３１】
映像信号入力部１１は、入力端子１１ａを介し各種映像再生機器からの映像信号が入力される。また、映像信号入力部１１には、アナログＰＣ、デジタルＰＣ、ビデオ、テレビなどの各種映像再生機器からの各種映像信号に対応し得るようにアナログＩ／Ｆ、デジタルＩ／Ｆ、ビデオＩ／Ｆなどの入力インターフェースが備えられている。そして、映像信号入力部１１に入力された映像信号は、Ａ／Ｄ変換、デコード等の適宜の処理が施されてデジタル信号に変換されて映像信号処理部１２へ出力される。
【００３２】
映像信号処理部１２は、入力された映像信号に対しスケーリング処理、ガンマ補正、輝度補正などの一般的な映像処理が行われ、このような処理が行われた映像信号が液晶ライトバルブ駆動部１３へ出力される。
【００３３】
液晶ライトバルブ駆動部１３において、映像信号処理部１２から入力された映像信号が緑色光用、赤色光用及び青色光用の各液晶パネルから成る液晶ライトバルブ８Ｒ，８Ｇ，８Ｂを駆動することができる信号形態に変換される。また、この液晶ライトバルブ駆動部１３において、緑色光用、赤色光用及び青色光用の各液晶ライトバルブ８Ｒ，８Ｇ，８Ｂを駆動のための駆動パルスが同時に生成される。
【００３４】
各液晶ライトバルブ８Ｒ，８Ｇ，８Ｂを構成する液晶パネルは、入力された映像信号に応じた回転角を持ち、分離光学系（図示せず）からの光を透過させることにより映像を作り出す。その表示映像は、投写レンズ１０により所定距離離れた場所にあるスクリーンなどに結像される。
【００３５】
時間計測部１５は、光源ランプ３２の点灯時間を計測しこれを積算する。この時間計測部１５で測定された光源ランプ３２の点灯積算時間は制御部１８に送信される。
記憶部１６は、ＲＡＭ型メモリーにより構成されており、予め設定された光源ランプ３２の交換目安時間を記憶するとともに、制御部１８から送信された光源ランプ３２のランプ点灯積算時間を更新して記憶する。
【００３６】
全体電源部１９は、外部電源からの交流電力をプラグ１９ａから導き、内蔵するＡＣ／ＤＣ変換部にて変圧、整流及び平滑などの処理を施して安定化させた直流電圧を各部に供給するように構成されている。
【００３７】
ランプ電源部１４ａ〜１４ｄは、光源ランプ３２毎に独立に設けられたものであって、全体電源部１９から入力された直流の電圧を光源ランプ３２を駆動するに適した波形の電圧に変換する。また、ランプ電源部１４ａ〜１４ｄは、光源ランプ３２の始動時、あるいは定常動作時など、それぞれに適した波形の電圧を出力する。なお、このランプ電源部１４ａ〜１４ｄには、光源ランプ３２の点灯状態を検出するランプ不点灯検出部１４１ａ〜１４１ｄが含まれている。このランプ不点灯検出部１４１ａ〜１４１ｄは、光源ランプ３２が寿命等の何らかの原因により点灯しない場合にこれを検出して不点灯検出信号を制御部１８へ出力する。
【００３８】
制御部１８は、各部との信号のやり取りを行い、投写型映像表示装置全体の動作が支障なく行われるように各部を制御する。そして、光源ランプ３２を点灯させるときには、各ランプ電源部１４ａ〜１４ｄに各光源ランプ３２の制御信号を送信する。また、制御部１８は、各光源ランプ３２の使用時間に関し、時間計測部１５で測定された各光源ランプ３２の点灯積算時間を記憶部１６に送信し、記憶部１６に記憶されている各光源ランプ３２の点灯積算時間を更新する。また、各光源ランプ３２毎に、更新された点灯積算時間と記憶部１６に記憶されている交換目安時間とを比較し、点灯積算時間が交換目安時間を越えていると判定した場合には、光源ランプ３２が寿命時間に到達した場合の制御信号を報知部１７ａ〜１７ｄに出力している。さらに、制御部１８は、ランプ電源部１４ａ〜１４ｄのランプ不点灯検出部１４１ａ〜１４１ｄから各光源ランプ３２についての不点灯検出信号を受信した場合は、光源ランプ３２が不点灯である場合の制御信号を報知部１７ａ〜１７ｄに出力している。
【００３９】
報知部１７ａ〜１７ｄは、光源ランプ３２が寿命に到達した場合あるいは光源ランプ３２が不点灯の場合に制御部１８からの制御信号に基づき点灯制御される報知ランプ（図示せず）と、この報知ランプからの光を透過する透過窓１７１ａ〜１７１ｄ（図２参照）を備えたものである。そして、図１及び図２に示すように各ランプカバー２ａ〜２ｄの近傍に当該ランプカバー２ａ〜２ｄ用の透過窓１７１ａ〜１７１ｄが配置されている。各報知部１７ａ〜１７ｄの報知ランプとしてはＬＥＤが用いられており、それぞれ透過窓１７１ａ〜１７１ｄの内部に配置されている。なお、この実施の形態において、透過窓１７１ａ〜１７１ｄは単純な円形であって、孔部に透過部材が嵌め込まれている。そして、透過窓１７１ａ〜１７１ｄは、それぞれがどのランプカバー用のものであるかを明確にするように、各ランプカバー２ａ〜２ｄの外辺の近傍に形成されている。ここで外辺とは、平面視四角形のランプカバー２ａ〜２ｄの４辺のうち隣接するランプカバー２ａ〜２ｄ側に位置しない辺をいう。なお、光源ランプ３２は、外装ケース１内において、前述の光学系の模式系統図から想定できるように４角形を形成する位置に配置されている。また、ランプカバー２ａ〜２ｄは、これら光源ランプ３２の位置に対応する外装ケース１の上面に配置され、さらに、各報知部１７ａ〜１７ｄの透過窓１７１ａ〜１７１ｄは、相互に対称的となる位置に配置されている。
【００４０】
次に、この報知部１７ａ〜１７ｄの報知ランプの点灯制御動作について図５のフローチャートに基づき詳細に説明する。
前述のように、第１光源ランプ３２ａ用のランプ電源部１４ａのランプ不点灯検出部１４１ａにより第１光源ランプ３２ａの点灯状態が監視されている（ステップＳ１）。第１光源ランプ３２ａが不点灯となった場合には制御部１８からの制御信号に基づき第１光源ランプ３２ａ用の報知部１７ａの報知ランプが連続点灯状態とされる（ステップＳ２）。しかし、第１光源ランプ３２ａが不点灯となっていない場合は、次の監視制御処理に移行される（ステップＳ１→ステップＳ３）。
【００４１】
このようにして第１光源ランプ３２ａの点灯状態監視による報知ランプの点灯制御処理が終了すると、第１光源ランプ監視処理に移行される（ステップＳ２→ステップＳ３）。そして、時間計測部１５により第１光源ランプ３２ａの点灯積算時間が監視される（ステップＳ３）。第１光源ランプ３２ａの点灯積算時間が交換目安時間を超えた場合には、制御部１８からの制御信号に基づき第１光源ランプ３２ａ用の報知部１７ａの報知ランプが点滅点灯状態にされる（ステップＳ４）。しかし、第１光源ランプ３２ａの点灯積算時間が第１光源ランプ３２ａの交換目安時間を超えていない場合には、第１光源ランプ３２ａについての監視制御処理が終了され、次にステップに移行される（ステップＳ３→ステップＳ５）。
【００４２】
このようにして第１光源ランプの監視制御処理が完了すると、第２光源ランプ３２ｂの監視制御処理に移行される（ステップＳ４→ステップＳ５）。第２光源ランプ３２ｂの監視制御処理は、第１光源ランプ３２ａの監視制御処理に準じたものであって、第２光源ランプ３２ｂ用のランプ電源部１４ｂのランプ不点灯検出部１４１ｂにより第２光源ランプ３２ｂの点灯状態が監視される（ステップＳ５）。そして、第２光源ランプ３２ｂが不点灯となった場合には、第２光源ランプ３２ｂ用の報知部１７ｂの報知ランプが連続点灯状態とされる（ステップＳ６）。しかし、第２光源ランプ３２ｂが不点灯となっていない場合は、次の第２光源ランプ３２ｂの点灯積算時間を監視する監視制御処理に移行される（ステップＳ５→ステップＳ７）。
【００４３】
このようにして第２光源ランプ３２ｂの点灯監視処理が終了すると、第２光源ランプ３２ｂの点灯時間監視処理に移行される（ステップＳ６→ステップＳ７）。そして、時間計測部１５により第２光源ランプ３２ｂの点灯積算時間が監視されている（ステップＳ７）。第２光源ランプ３２ｂの点灯積算時間が第２光源ランプ３２ｂの交換目安時間を超えた場合には、第２光源ランプ３２ｂ用の報知部１７ｂの報知ランプが点滅状態にされる（ステップＳ８）。しかし、第２光源ランプ３２ｂの点灯積算時間が第２光源ランプ３２ｂの交換目安時間を超えていない場合には、第２光源ランプ３２ｂについての監視制御処理が終了される。
【００４４】
このようにして、第２光源ランプ３２ｂの監視制御処理が終了すると、第３光源ランプ３２ｃ及び第４光源ランプ３２ｄについても同様の監視制御処理が行われる（ステップＳ９〜Ｓ１６）。そして、第３光源ランプ３２ｃ及び第４光源ランプ３２ｄについての監視制御が終了すると、制御フローチャートに従い第１光源ランプ３２ａから繰り返し上述の処理が行われる。
【００４５】
以上のごとく構成された本実施の形態によれば次の効果を奏することができる。
（１）複数個の光源ランプ３２それぞれについての累積点灯時間が時間計測部１５により計測されるとともに、光源ランプ３２毎に累積点灯時間が交換目安時間を超えている否かが監視され、さらに、制御部１８により判定されている。そして、制御部１８において光源ランプ３２の累積点灯時間が交換目安時間を超えていると判定された場合には、このように判定されたこの光源ランプ３２用のランプカバー２ａ〜２ｄの位置が報知部１７ａ〜１７ｄの報知ランプが点灯されることにより報知される。したがって、ユーザは、この報知により何れの光源ランプ３２が交換必要かを知ることができるともに、交換の必要な光源ランプ３２用のランプカバー２ａ〜２ｄの位置を知ることができ、光源ランプ３２の交換を容易に行うことができる。
【００４６】
（２）また、従来のようにランプカバー２ａ〜２ｄを自動開放するものではないので、ランプカバー２ａ〜２ｄと周辺器物との干渉のおそれがなく、開放手段が動作不良を起こしたり周辺器物が損なわれたりするおそれもない。
【００４７】
（３）また、ランプカバー２ａ〜２ｄを自動開放するための手段を必要としないので、報知部１７ａ〜１７ｄの所要スペースを小さくすることができる。
（４）この場合において、報知部１７ａ〜１７ｄは、報知ランプを備えたものであって、この報知部１７ａ〜１７ｄが何れのランプカバー２ａ〜２ｄ用のものであるかが分かるようにランプカバー２ａ〜２ｄの近傍に配置されている。したがって、報知ランプの点灯のみで交換すべき光源ランプ３２とそのランプカバー２ａ〜２ｄの位置とを同時に知ることができ、報知部１７ａ〜１７ｄの構成を簡素化することができる。
【００４８】
（５）報知部１７ａ〜１７ｄは、光源ランプ３２の累積点灯時間が交換目安時間を越えているが光源ランプが点灯可能状態にあるときの報知ランプの点灯方法と、光源ランプ３２が不点灯状態になったときの報知ランプの点灯方法とを変えるように構成されている。したがって、同一の報知ランプでありながら光源ランプ３２の異なる状態を区別して報知することができる。すなわち、先の実施の形態においては、報知ランプが点滅点灯状態にあるときには、光源ランプ３２は点灯しているが、光源ランプ３２の累積点灯時間が交換目安時間を越えている状態を示しており、報知ランプが連続点灯状態にあるときには、光源ランプ３２が寿命その他の理由により不点灯になっていることを報知している。
【００４９】
（変形例）
本発明は、上記実施の形態において以下のように変更することができる。
・前記実施の形態においては、光源ランプ３２が複数個使用されているが、この光源ランプ３２が１個の場合にも本発明を適用することができる。この場合は、ランプカバー２ａ〜２ｄ及び報知部１７ａ〜１７ｄが１個となる。また、このように構成した場合においても、報知ランプの点灯により光源ランプ３２の交換の必要性とランプカバー２ａ〜２ｄの所在位置とを知ることができる。また、従来のようにランプカバー２ａ〜２ｄを開放するものではないので、ランプカバー２ａ〜２ｄと周辺器物との干渉のおそれがなく、開放手段が動作不良を起こしたり周辺器物が損なわれたりするおそれもない。また、ランプカバー２ａ〜２ｄを自動開放するための手段を必要としないので、報知部１７ａ〜１７ｄの所要スペースを小さくすることができる。
【００５０】
・また、光源ランプ３２の個数は、１個又は４個に限らず、他の個数の光源ランプを使用したものとすることもできる。
・また、報知部１７ａ〜１７ｄにおける報知ランプからの光を外部に透過する透過窓１７１ａ〜１７１ｄを、ランプカバー２ａ〜２ｄを指し示すのに適した形状とするようにすれば、報知部１７ａ〜１７ｄの配置をランプカバー２ａ〜２ｄの相互間のスペースに配置することもできる。図６はその一例であって、透過窓１７１ａ〜１７１ｄが三角形に形成され、その頂点が当該ランプカバー２ａ〜２ｄを指し示すように形成されている。これにより、複数の報知ランプを一つの基板１７２に取り付けることが容易になり、複数の報知ランプを備える報知部１７ａ〜１７ｄの構成を簡略化することができる。
【符号の説明】
【００５１】
１…外装ケース、２ａ，２ｂ，２ｃ，２ｄ…ランプカバー、８Ｇ，８Ｒ，８Ｂ…液晶ライトバルブ、１５…時間計測部、１７ａ，１７ｂ，１７ｃ，１７ｄ…報知部、１８…制御部、３２…光源ランプ、３２ａ…第１光源ランプ、３２ｂ…第２光源ランプ、３２ｃ…第３光源ランプ、３２ｄ…第４光源ランプ、１７１ａ，１７１ｂ，１７１ｃ，１７１ｄ…透過窓。
【図１】
2011227344.tif 000003
【図２】
2011227344.tif 000004
【図３】
2011227344.tif 000005
【図４】
2011227344.tif 000006
【図５】
2011227344.tif 000007
【図６】
2011227344.tif 000008